(57)【特許請求の範囲】
【請求項１】
ガスバーナ(21)へのガス回路(11)に配設され且つ水回路に配設されたダイヤフラム(59)の変形動作に連動して開閉動作する応動弁(15)を具備する水圧応動ガス弁であって、
前記ダイヤフラム(59)はその受圧面が前記水回路内に露出するように張設されており、
前記水回路内に於ける前記受圧面の対向部に形成された流量調整弁口と、
前記流量調整弁口に対して前記ダイヤフラム(59)側の反対側から対向し且つ該ダイヤフラム(59)の変形動作に追随して前記流量調整弁口に接離する方向に移動する流量調整弁体(51)と、
前記流量調整弁体(51)が全開位置から前記流量調整弁口に所定距離接近するまでは自由状態に保たれ且つ前記所定距離接近した後には前記流量調整弁体(51)を前記流量調整弁口から離反する方向に付勢する補正バネとを具備し、
前記補正バネは、前記流量調整弁体(51)と該流量調整弁体(51)の下流側に形成された固定部の間に介装されたコイルバネであり、
前記流量調整弁体(51)は、該流量調整弁体(51)から突出する弁軸(63)を前記ダイヤフラム(59)に対して前記補正バネより弱い押圧バネ(86)で押圧することによって該ダイヤフラム(59)に押し付けられている、水圧応動ガス弁。
【請求項２】
流量調整弁体(51)の受圧面積を６４mm2とした場合、前記補正バネのバネ定数が０．６４Ｋｇ／mm以上に設定されている請求項１の水圧応動ガス弁。
【請求項３】
前記所定距離は、応動弁(15)が開弁したときの流量調整弁体(51)の位置と該流量調整弁体(51)の全開位置との二点間の距離以上である請求項１又は請求項２の水圧応動ガス弁。
【発明の詳細な説明】
【０００１】
【発明の属する技術分野】
本発明は瞬間湯沸器等に組み込まれる水圧応動ガス弁に関するもので、前記給湯器に接続される水道配管側の給水圧が上昇した場合でも出湯量の低下を低く抑え得るようにしたものである。
【０００２】
【従来の技術】
図４は従来の水圧応動ガス弁が組み込まれた瞬間湯沸器の概略図である。
ガス回路（１１）には、電磁弁（１３）とその下流側の応動弁（１５）が配設されていると共に、該ガス回路（１１）の下流端のノズル部（１６）（１６）にはガスバーナ（２１）（２１）のガス入口部（２２）（２２）が臨んでいる。
【０００３】
一方、熱交換器（２４）を通る水回路（２６）の上流端部にはガス回路を開けるべく水流を検知する水ガバナ（３１）が配設されていると共に、後述するように該水ガバナ（３１）は給水圧の変動に因る出湯量変化を緩和する機能を有している。又、水回路（２６）の下流端にはシャワーヘッド（２８）が配設されている。
又、上記水ガバナ（３１）は開弁レバー（３３）を介して操作ボタン（３５）と連動するようになっていると共に、該操作ボタン（３５）の操作信号は、既述電磁弁（１３）等を制御する制御回路（３７）に印加されている。
【０００４】
上記水ガバナ（３１）のバルブケーシング（３９）には上記開弁レバー（３３）に連動する開閉弁（４５９）  が設けられており、該開閉弁（４５９）  によって通水筒（４７）の上流端の弁口（４９）が開閉されるようになっている。
上記通水筒（４７）にはその軸線方向に移動自在である流量調整弁体（５１）が収納されていると共に、該流量調整弁体（５１）には下流側から流量調整弁口（５３）が対向しており、該流量調整弁口（５３）に対する流量調整弁体（５１）の接離動作によってその弁開度が調整されるようになっている。
【０００５】
上記流量調整弁口（５３）の下流側の一次圧室（５５）はダイヤフラム（５９）によって二次圧室（５７）と区画されていると共に、該二次圧室（５７）は上記一次圧室（５５）の下流側に形成された絞り部（６１）の下流側と連通路（６２）を介して繋がっている。
上記流量調整弁体（５１）から突出する弁軸（６３）の先端のバネ受け円板（６０）は取付けバネ（８６）でダイヤフラム（５９）側に付勢されており、これにより、流量調整弁体（５１）はダイヤフラム（５９）に追随して移動するようになっている。又、上記ダイヤフラム（５９）に対して前記流量調整弁体（５１）の反対側から当接するロッド（６４）の他端には、戻しバネ（７１）で付勢されていると共にリミットスイッチ（６７）をＯＮ・ＯＦＦさせる為のスイッチ投入片（６５）が設けられており、更に、スイッチ投入片（６５）と一体のロッド（６５ａ）  と所定のクリアランス（通常は２．５ｍｍ程度）を存して閉弁バネ（６９）で閉弁方向に付勢されたリフト弁式の応動弁（１５）が設けられている。
【０００６】
このものでは、操作ボタン（３５）を押し込むと、該操作ボタン（３５）の先端（３６）で回動せしめられる開弁レバー（３３）に連動して開閉弁（４５９）  が開弁動作する。即ち、開閉弁（４５９）  が通水筒（４７）の上流端の弁口（４９）から上流側に離反する方向に移動し、これにより、弁口（４９）が開弁状態になる。すると、水ガバナ（３１）の水入口（７３）→通水筒（４７）の弁口（４９）→該通水筒（４７）の下流端の流量調整弁口（５３）→水ガバナ（３１）の一次圧室（５５）→絞り部（６１）→熱交換器（２４）→シャワーヘッド（２８）の経路で給水されるが、このとき、絞り部（６１）で流量が絞られて該部分で一定の圧力低下が生じる。そして、絞り部（６１）の下流側と連通する二次圧室（５７）が圧力低下し、これにより、該二次圧室（５７）側にダイヤフラム（５９）が変形動作して応動弁（１５）が閉弁バネ（６９）の付勢力に抗して開弁動作する。
【０００７】
上記応動弁（１５）が開弁すると、該応動弁（１５）と連動するスイッチ投入片（６５）で押圧されていたリミットスイッチ（６７）の腕（６８）が非押圧状態になってこれがＯＮ動作し、制御回路（３７）の出力で電磁弁（１３）が開弁状態に維持されてガスバーナ（２１）（２１）にガス供給されると共に、点火電極（７５）からの火花でガスバーナ（２１）（２１）が燃焼する。これにより、熱交換器（２４）が加熱されてシャワーヘッド（２８）から出湯する。
【０００８】
上記出湯状態において、水ガバナ（３１）の水入口（７３）に接続される水道配管側の給水圧が変動すると、一次圧室（５５）と二次圧室（５７）の圧力差が変動するが、このとき、流量調整弁体（５１）が流量調整弁口（５３）に接離動作し、これにより絞り量が変化して上記圧力差が一定に保たれ、水回路（２６）内の流量が一定に保たれる。即ち、給水圧が高くなって水回路（２６）内の流量が増加しそうになると、一次圧室（５５）と二次圧室（５７）の圧力差が大きくなって流量調整弁体（５１）が絞り動作して前記流量増加を抑えると共に、これとは逆に、上記給水圧が低下して流量が減少しそうになると、上記圧力差が小さくなって流量調整弁体（５１）が開放動作し、これにより、前記流量の減少を抑制して、流量調整弁口（５３）の通過流量を一定に保つ。
【０００９】
このように、上記従来のものでは、水ガバナ（３１）の上流の水道配管側の給水圧変動に起因する水回路（２６）内の流量変化をある程度抑えることができるから、前記給水圧変動が生じても、シャワーヘッド（２８）からの出湯量の変動を小さく抑えることができ、安定した出湯動作が確保できる。
【００１０】
【発明が解決しようとする課題】
しかしながら、上記従来のものでは、水ガバナ（３１）の上流側の給水圧変動が生じても出湯量をある程度安定させることはできるが、該安定性は未だ不十分であり、特に、上記給水圧が著しく上昇した場合は、該給水圧が流量調整弁体（５１）自体に作用し、ダイヤフラム（５９）を二次圧室（５７）側に過剰に変形動作させる。この結果、流量調整弁体（５１）が過剰に絞られて水回路（２６）の流量が著しく低下するという問題があった。
【００１１】
上記問題を解決する為に、上記給水圧が作用する流量調整弁体（５１）を小型（小受圧面積）にすることや、又、応動弁（１５）の閉弁バネ（６９）のバネ定数を大きくすることも考えられるが、前者のものでは流量調整弁体（５１）に対応する流量調整弁口（５３）も小さくなって流路抵抗が大きくなってしまう。一方、後者の場合は、特に給水圧が低い場合において出湯操作時に応動弁（１５）が開弁し難くなってガスバーナ（２１）への点火動作が円滑に開始しない。
【００１２】
本願は係る点に鑑みて成されたもので、出湯操作操作時のガスバーナ（２１）への点火動作の円滑さを確保しながら、給水圧が上昇した際の出湯量低下を一層確実に抑制し得る水圧応動ガス弁を提供することをその課題とする。
【００１３】
【課題を解決するための手段】
上記課題を解決する為に採用した請求項１の発明の技術的手段は、
『ガスバーナ(21)へのガス回路(11)に配設され且つ水回路に配設されたダイヤフラム(59)の変形動作に連動して開閉動作する応動弁(15)を具備する水圧応動ガス弁であって、
前記ダイヤフラム(59)はその受圧面が前記水回路内に露出するように張設されており、
前記水回路内に於ける前記受圧面の対向部に形成された流量調整弁口と、
前記流量調整弁口に対して前記ダイヤフラム(59)側の反対側から対向し且つ該ダイヤフラム(59)の変形動作に追随して前記流量調整弁口に接離する方向に移動する流量調整弁体(51)と、
前記流量調整弁体(51)が全開位置から前記流量調整弁口に所定距離接近するまでは自由状態に保たれ且つ前記所定距離接近した後には前記流量調整弁体(51)を前記流量調整弁口から離反する方向に付勢する補正バネとを具備し、
前記補正バネは、前記流量調整弁体(51)と該流量調整弁体(51)の下流側に形成された固定部の間に介装されたコイルバネであり、
前記流量調整弁体(51)は、該流量調整弁体(51)から突出する弁軸(63)を前記ダイヤフラム(59)に対して前記補正バネより弱い押圧バネ(86)で押圧することによって該ダイヤフラム(59)に押し付けられている』することである。
【００１４】
上記技術的手段によれば、水回路に水流が発生するとダイヤフラム（５９）の受圧面とその反対面に作用する圧力の差が生じ、該ダイヤフラム（５９）がこれに対向する流量調整弁口から離反する方向に変形動作して既述従来のものと同様に応動弁（１５）が開弁してガス回路（１１）にガスが流れる。
上記水回路に水流が発生して上記ダイヤフラム（５９）が変形動作する場合、流量調整弁体（５１）が流量調整弁口に所定距離接近するまでは補正バネが自由状態に保たれて付勢力を発揮しないから、上記補正バネを具備しない既述従来のものと同様に給水圧が低くてもガス回路（１１）の応動弁（１５）が円滑に開弁する。
【００１５】
この状態で上流の水道配管側の給水圧が上昇すると、該給水圧が流量調整弁体（５１）の受圧面に作用し、流量調整弁体（５１）が前記流量調整弁口に接近し始める。ところが、流量調整弁体（５１）が流量調整弁口に所定距離接近した後（応動弁（１５）が開弁した後）には、補正バネが非自由状態になって圧縮されていることから、流量調整弁体（５１）の閉弁方向への移動が上記補正バネの付勢力で抑えられ、これにより、流量調整弁体（５１）の絞り動作が抑制され、流量の過剰低下が抑えられる。
【００１６】
請求項２の発明のように『流量調整弁体(51)の受圧面積を６４mm2とした場合、前記補正バネのバネ定数が０．６４Ｋｇ／mm以上に設定されている』ものとすることができる。
【００１７】
又、前記所定距離は、『応動弁(15)が開弁したときの流量調整弁体(51)の位置と該流量調整弁体(51)の全開位置との二点間の距離以上である』もの（請求項３の発明）とすることができる。このものでは、応動弁(15)が開弁するまでは補正バネが自由状態に保たれる。従って、応動弁(15)が開弁するまでは、流量調整弁(51)が全開位置側に補正バネで押されることがなく、応動弁(15)の円滑な開弁動作が確保できる。
【００１８】
【発明の効果】
以上説明したように、請求項１〜請求項３の発明によれば、ガス回路(11)に配設された応動弁(15)が開弁するまで補正バネが付勢力を発揮しないから、該補正バネを具備しない既述従来のものと同様に応動弁(15)が円滑に開弁する。そして、本発明の水圧応動ガス弁を例えば湯沸器に組み込んだ場合には、上記応動弁(15)の開弁時にガスバーナへの点火動作が実行されるのが通常であるから、係る場合には、給水圧が低い場合でも該応動弁(15)からガス供給されるガスバーナへの点火動作が円滑に行われる。又、流量調整弁体(51)が流量調整弁口に所定距離接近した後（応動弁(15)が開弁した後）には、流量調整弁体(51)の開度絞り動作を抑制する方向に補正バネが付勢力を発揮するから、前記応動弁(15)が開弁した状態で上流の水道配管側の給水圧が上昇しても、流量調整弁体(51)が開度絞り方向に移動しにくくなる。従って、補正バネを具備しない既述従来のものに比べて水回路内の流量低下を一層確実に抑制することができる。
【００１９】
請求項２の発明では、流量調整弁体(51)の受圧面積を６４mm2とした場合に、補正バネのバネ定数を０．６４Ｋｇ／mm以上に設定したから、上記給水圧の上昇量に関わらず水回路の流量をほぼ一定に保ち得ることが確認できた。
請求項３の発明によれば、応動弁(15)が開弁したときの流量調整弁体(51)の位置まで該流量調整弁体(51)が全開位置から移動しない限り補正バネが圧縮されない。従って、応動弁(15)が開弁する前に補正バネが圧縮されてしまう不都合を確実に防止することができ、応動弁(15)の円滑な開弁動作を一層確実なものにすることができる。
【００２０】
【発明の実施の形態】
次に、上記発明の実施の形態について説明する。
図１は、本願発明に係る水圧応動ガス弁が組み込まれた瞬間湯沸器の概略構造図である。
ガス回路（１１）には、既述従来のものと同様に電磁弁（１３）とその下流側の応動弁（１５）が設けられていると共に、該ガス回路（１１）の下流端のノズル部（１６）（１６）にはガスバーナ（２１）（２１）のガス入口部（２２）（２２）が臨んでいる。又、上記応動弁（１５）は閉弁バネ（６９）で閉弁方向に付勢されていると共に、該応動弁（１５）から後述の水ガバナ（３１）の配設部まで延びるロッド（６４）の途中には戻しバネ（７１）で付勢されたスイッチ投入片（６５）が設けられている。
【００２１】
次に、熱交換器（２４）を通る水回路（２６）の上流端部には水ガバナ（３１）が配設されている。そして、該水ガバナ（３１）と既述した応動弁（１５）とこれらを連結するロッド（６４）によって本願発明の対象たる水圧応動ガス弁が構成されている。
次に、上記水ガバナ（３１）の構造を説明する。
［水ガバナ（３１）の全体構成］
図２に示すように、水ガバナ（３１）のバルブケーシング（３９）には、水入口（７３）→ダイヤフラム弁（４５）の配設部→通水筒（４７）内→該通水筒（４７）の下流側の流量調整弁口（５３）→該流量調整弁口（５３）とダイヤフラム（５９）の間の一次圧室（５５）→出湯量調節弁（７７）→絞り部（６１）→水出口（７９）と繋がる水回路（８１）が形成されており、絞り部（６１）とダイヤフラム（５９）に隣接した二次圧室（５７）は連通路（６２）で連通している。
【００２２】
以下水ガバナ（３１）の各部品の詳細を説明する。
［ダイヤフラム弁（４５）について］
バルブケーシング（３９）の側壁からその内部の水回路（８１）に繋がるように穿設された開口部（４２）はダイヤフラム弁（４５）を構成するダイヤフラム（４３）で閉塞されており、上記ダイヤフラム（４３）の外周のビード（４４）部分は、前記開口部（４２）を覆うダイヤフラムカバー（７４）の開口端側のフランジ（７６）と上記バルブケーシング（３９）の構成壁で挟圧された状態になっている。
【００２３】
ダイヤフラム（４３）にはシート部材（４０）が係止され、中央の突出軸部（４００）  が通水筒（４７）の弁口（４１３）  に摺動自在に貫通しており、これにより、ダイヤフラム弁（４５）と通水筒（４７）の同心性が確保されている。又、上記突出軸部（４００）  の中心に貫設されたパイロット孔（４６）を開閉する為のパイロット弁（４１）はバネ（４８）で閉弁方向に付勢されている。
【００２４】
又、該パイロット弁（４１）の弁軸（４１１）  は、ダイヤフラムカバー（７４）に取付けられた軸ガイド（４１２）  を貫通して該ダイヤフラムカバー（７４）の外側に突出していると共に、上記シート部材（４０）とダイヤフラム（４３）の重合部の外周近傍にはダイヤフラムカバー（７４）内とバルブケーシング（３９）の水入口（７３）側の水回路（８１）内を連通させるリーク孔（４３１）  が穿設されている。
【００２５】
又、ダイヤフラム(43)に取付けられた上記シート部材(40)で開閉される弁口(413)を具備する既述通水筒(47)の下流側端部はバルブケーシング(39)に形成された円柱状凹部(470)にＯリング(471)を用いて水密状に圧入されている。
［流量調整弁体(51)について］
上記通水筒(47)内に収納された流量調整弁体(51)は、後述の流量調整弁口(53)に対してダイヤフラム(59)の反対側から対向していると共に、該流量調整弁体(51)は流量調整弁口(53)から離れるに従って直径が大きくなるような円錐台状に形成されている。上記流量調整弁体(51)には大径側の端面から側壁に貫通する通路(511)が形成されていると共に、流量調整弁体(51)に於ける小径側端の弁頭部(512)は、バルブケーシング(39)に螺合された筒ネジ(85)の内周に形成された流量調整弁口(53)に対して上流側から対向している。又、筒ネジ(85)の上流側端の外周には環状溝(850)が周設され、コイルバネから成る補正バネ(83)の一端が上記環状溝(850)（請求項１の発明の発明特定事項たる「固定部」に対応している）に外嵌固定されている。又、水回路(81)内が通水停止状態にある初期状態では、流量調整弁体(51)が流量調整弁口(53)から最も離れた状態にあると共に、該流量調整弁体(51)の上流側端部の外周フランジ(515)と上記補正バネ(83)の上流側端部の間に所定の間隙(b)が形成されており、上記補正バネ(83)は自由状態になっている。この間隙(b)は、応動弁(15)と通水停止時に於けるスイッチ投入片(65)のロッド(65a)との間隙(a)より大きくなっており、具体的には、前記間隙(b)の寸法は３mmに設定され他方の間隙(a)は２．５mmに設定されている。従って、上記ロッド(65a)が応動弁(15)に当接するまでは補正バネ(65)が圧縮されず、これにより、応動弁(15)を開弁させる給水圧（作動圧）を低くすることができる。よって、該応動弁(15)の開弁動作と連動する後述のガスバーナ(21)(21)への点火動作が確実に行える。即ち、上記とは逆に応動弁(15)が開弁する前に補正バネ(65)が圧縮されてこれが付勢力を発揮すると、該付勢力によって応動弁(15)が開弁しにくくなり、これにより、作動水圧（応動弁(15)を開弁させるのに必要な水圧）が高くなる。従って、かかる場合は、ガスバーナ(21)(21)への点火動作が円滑に行われないが、本発明の上記実施の形態では上記のように給水圧が低下してもガスバーナ(21)(21)への点火動作が円滑且つ確実に実行される。
【００２６】
尚、上記補正バネ（８３）のバネ定数は既述した応動弁（１５）用の閉弁バネ（６９）やスイッチ投入片（６５）用の戻しバネ（７１）のバネ定数より大きな値に設定されているが、このバネ定数の具体的値については後述する。
上記流量調整弁体（５１）の下流側端部から突出する弁軸（６３）の下流端には該軸と同心状のバネ受け円板（６０）が連設されており、該バネ受け円板（６０）と上記筒ネジ（８５）の間にはバネ受け円板（６０）を後述のダイヤフラム（５９）に緩く押圧する為の押圧バネ（８６）が介装されている。尚、上記押圧バネ（８６）のバネ定数は既述補正バネ（８３）のバネ定数より小さな値に設定されている。
【００２７】
上記ダイヤフラム（５９）は、バルブケーシング（３９）の側壁に開設された開口部（３０）を閉塞するように張設されており、該ダイヤフラム（５９）の外周のビード（５９１）  部分は蓋体（８８）とバルブケーシング（３９）の構成壁で挟圧保持されている。又、蓋体（８８）の外面に突設されたガイド筒（８９）には、応動弁（１５）を駆動する為のロッド（６４）が摺動自在に貫通している。
【００２８】
そして、ダイヤフラム（５９）と蓋体（８８）によって包囲された空間が二次圧室（５７）となり、ダイヤフラム（５９）を挟んで上記二次圧室（５７）の反対側に形成されている空間が一次圧室（５５）となっている。従って、ダイヤフラム（５９）に於ける一次圧室（５５）側の表面が請求項１の発明の発明特定事項たる受圧面となり、この受圧面の対向部に既述流量調整弁口（５３）が位置した状態になっている。
【００２９】
［出湯量調節弁（７７）について］
上記ダイヤフラム（５９）の下流側に配設された出湯量調節弁（７７）は、円筒体の側壁に切欠（７８）を開設したもので、該出湯量調節弁（７７）を図２の状態から時計方向に回転させると、水回路（８１）に形成された弁座口（８２）が流量調節弁（７７）の周側壁で閉塞される度合いが大きくなり、これにより、水ガバナ（３１）の下流側の熱交換器（２４）への給水量が低下して出湯量が少なくなる。
【００３０】
［絞り部（６１）について］
上記出湯量調節弁（７７）の下流側隣接部に形成された絞り部（６１）は円錐筒（６６）で構成されており、該円錐筒（６６）の側壁に形成された窓（６６０）  は連通路（６２）を介して既述二次圧室（５７）に連通しており、これにより、絞り部（６１）で絞られて一定圧力だけ低下した水圧が上記二次圧室（５７）に伝達されるようになっている。
【００３１】
又、上記円錐筒（６６）の下流側に位置する水出口（７９）は、図１に示すように水回路（２６）を介して熱交換器（２４）に繋がるように構成されている。
［動作の説明］
次に、上記水圧応動ガス弁の動作を説明する。
水圧応動ガス弁が作動していない初期状態では、ダイヤフラム弁（４５）が閉弁状態にあり、ダイヤフラムカバー（７４）内の水圧は、リーク孔（４３１）  によって水回路（８１）内の水圧と一致している。
【００３２】
湯沸器前面の操作部に配設された操作ボタン（３５）を押し込むと、既述従来のものと同様に、該操作ボタン（３５）の先端（３６）で開弁レバー（３３）の入力端が押されて該開弁レバー（３３）が回動し、その出力端に連設された弁軸（４１１）  がバネ（４８）の付勢力に抗して後退してパイロット孔（４６）が開かれてダイヤフラムカバー（７４）内の水圧が低下する。すると、該ダイヤフラムカバー（７４）内と水回路（８１）との圧力差により、ダイヤフラム弁（４５）用のダイヤフラム（４３）が上記ダイヤフラムカバー（７４）内側に変形動作して該ダイヤフラム（４３）が弁口（４１３）  から離反し、これによって弁口（４１３）  が開弁される。
【００３３】
これにより、水ガバナ（３１）の水入口（７３）→通水筒（４７）の弁口（４１３）  →該通水筒（４７）の下流側の流量調整弁口（５３）→一次圧室（５５）→出湯量調節弁（７７）→絞り部（６１）→水出口（７９）の経路で水が流れて、その後、該水は熱交換器（２４）からシャワーヘッド（２８）に供給される。
上記絞り部（６１）に水流が生じると、該絞り部（６１）の上流側よりも下流側が一定圧だけ水圧低下し、該圧力低下が連通路（６２）を介して二次圧室（５７）に伝達される。すると、上記ダイヤフラム（５９）が二次圧室（５７）側に変形動作し、該変形動作方向にロッド（６４）が移動して応動弁（１５）が閉弁バネ（６９）の付勢力に抗して開弁される。この場合、水ガバナ（３１）内の水回路（８１）に水流が生じる前の初期状態では流量調整弁体（５１）の上流端の外周フランジ（５１５）  に補正バネ（８３）が当接しておらず、該補正バネ（８３）の付勢力が流量調整弁体（５１）に作用していないから、補正バネ（８３）がダイヤフラム（５９）の円滑な変形動作を阻害する心配がなく、上記補正バネ（８３）を具備しない既述従来のものと同様の円滑さでダイヤフラム（５９）が変形動作して応動弁（１５）が開弁する。流量調整弁体（５１）がダイヤフラム（５９）の変形動作に追随移動してその上流端の外周フランジ（５１５）  が補正バネ（８３）に当接したときに応動弁（１５）が点火可能開度（ガスバーナ（２１）を燃焼させるのに十分なガス量を供給できる開度）になる。そして、上記補正バネ（８３）が外周フランジ（５１５）  に当接した後は、前記応動弁（１５）はある程度の開度（ガスバーナ（２１）を燃焼させるのに十分なガス量を供給できる開度）になっており、その後更に応動弁（１５）が開度増加しても、該開度増加が、応動弁（１５）部分を流れるガス量の増加に殆ど影響を与えることがない。そして、応動弁（１５）が上記点火可能開度になった後には、上記のように流量調整弁体（５１）の外周フランジ（５１５）  が補正バネ（８３）に当接してこれを圧縮し、図３に示すように、流量調整弁口（５３）に流量調整弁体（５１）の弁頭部（５１２）  が一部挿入状態に維持され、この状態で以後の給湯動作が進行する。
【００３４】
又、上記ダイヤフラム（５９）の変形動作によって応動弁（１５）が開弁動作すると、上記ロッド（６４）に固定されたスイッチ投入片（６５）で押圧されていたリミットスイッチ（６７）の腕（６８）が非押圧状態になって該リミットスイッチ（６７）がＯＮ動作する。すると、該ＯＮ信号を処理する制御回路（３７）の出力によって、電磁弁（１３）が開弁すると共に点火電極（７５）が火花放電してガスバーナ（２１）が燃焼する。これにより、シャワーヘッド（２８）から温水が流出する。
【００３５】
上記給湯状態において、水ガバナ（３１）の水入口（７３）に接続される水道配管内の給水圧が上昇すると、該上昇した給水圧が流量調整弁体（５１）に作用して流量調整弁口（５３）の開度を減少させようとする。ところが、上記のものでは、補正バネ（８３）が流量調整弁体（５１）の外周フランジ（５１５）  に当接しており、該補正バネ（８３）の付勢力で流量調整弁体（５１）が過剰に閉弁するのが防止されている。従って、上記実施の形態に係る水圧応動ガス弁では、上記補正バネ（８３）を具備しない既述従来のもののように給水圧が上昇したときにシャワーヘッド（２８）からの出湯量が低下するような不都合が回避できる。
【００３６】
尚、水入口（７３）に接続された上流側の水道配管内の水圧変化に関わらずシャワーヘッド（２８）からの出湯量を一定に保つ為には補正バネ（８３）のバネ定数を次のように設定することが必要である。即ち、流量調整弁体（５１）の受圧面の面積を６４ｍｍ２  とし、取付けバネ（８６），閉弁バネ（６９），戻しバネ（７１）のバネ定数を夫々０．０５Ｋｇ／ｍｍ  ，０．１３Ｋｇ／ｍｍ  ，０．０５Ｋｇ／ｍｍ  とした場合、補正バネ（８３）のバネ定数を１．１７Ｋｇ／ｍｍ  以上に，該補正バネ（８３）の自由長を約９．２ｍｍに夫々設定し、圧縮状態（出湯状態）での補正バネ（８３）の長さが約６．３ｍｍとなるように各部の寸法を設定する必要がある。この場合、上記水ガバナ（３１）の上流に接続される水道配管側の給水圧が約５０ｋｐａ〜７８５ｋｐａの範囲で変化しても、出湯時に於ける流量調整弁口（５３）と流量調整弁体（５１）の間隙が約０．１８ｍｍになり且つ流量が５リットル／分に維持されることが確認できた。即ち、上記の範囲で給水圧が変化しても水回路（２６）内の流量低下を防止することができることが確認できた。尚、補正バネ（８３）のバネ定数を０．６４Ｋｇ／ｍｍ  以上に設定すれば、上記範囲で給水圧変化が生じても、上記補正バネ（８３）を設けない場合に比べて水回路（２６）内の流量低下を抑えることができる。
【図面の簡単な説明】
【図１】本願発明の実施の形態に係る水圧応動ガス弁が組み込まれた瞬間湯沸器の概略構成図
【図２】本願発明の実施の形態に係る水圧応動ガス弁の水ガバナ部の拡大断面図
【図３】本願発明の実施の形態に係る水圧応動ガス弁の作動状態の断面図
【図４】従来例の説明図
【符号の説明】
（２１）  ガスバーナ
（１１）  ガス回路
（５９）  ダイヤフラム
（１５）  応動弁
（５１）  流量調整弁体
（５３）  流量調整弁口
（８３）  補正バネ
【図１】
0003590254.tif 000002
【図２】
0003590254.tif 000003
【図３】
0003590254.tif 000004
【図４】
0003590254.tif 000005